(57)【要約】      （修正有）【課題】照明器具に取り付けた場合でも管体が湾曲してランプがソケットから外れて落下する危険がなく、ＬＥＤからの放熱処理を好適に行うことができる構造を有するＬＥＤ直管型ランプ構造体およびランプシステムを提供する。【解決手段】ＬＥＤ直管型ランプは、略中央で二つを接続して構成される。各ＬＥＤ直管型ランプが蛍光ランプのソケットに対応する電極と、その電極から給電されて発光する複数のＬＥＤ素子をプリント基板上に備えた発光板と、前記発光板を電気的に他のＬＥＤ直管型ランプの発光板に接続するとともに、支持具によって把持されるための領域を備えた接続部とを有する。ランプシステムは、ＬＥＤ直管型ランプ構造体を有する。【選択図】図２
0003152509.tif 000002
【実用新案登録請求の範囲】
【請求項１】
従来型の蛍光ランプのソケットを利用でき、略中央で二つのＬＥＤ直管型ランプを接続して構成されるＬＥＤ直管型ランプ構造体であって、
各ＬＥＤ直管型ランプは、
従来型の蛍光ランプのソケットに対応する電極と、
その電極から給電されて発光する複数のＬＥＤ素子をプリント基板上に備えた発光板と、
前記発光板を電気的に他のＬＥＤ直管型ランプの発光板に接続するとともに、支持具によって把持されるための領域を備えた接続部と、
を有するＬＥＤ直管型ランプ構造体。
【請求項２】
発光板は、プラスティック製の筒の中に配置されている請求項１に記載のＬＥＤ直管型ランプ構造体。
【請求項３】
接続部は、
いずれか一方のＬＥＤ直管型ランプに備えられた雄ねじ部と、
他のＬＥＤ直管型ランプに備えられた雌ねじ部と、
からなる請求項1または２に記載のＬＥＤ直管型ランプ構造体。
【請求項４】
定格消費電力が１１０ワットである請求項１から３のいずれか一に記載のＬＥＤ直管型ランプ構造体。
【請求項５】
請求項１から４のいずれか一に記載のＬＥＤ直管型ランプ構造体と、
従来型の蛍光ランプのソケットと、
ランプカバーと、
ランプカバーに配置された支持具と、
を有するランプ装置と、からなるランプシステム。
【請求項６】
前記ランプカバーは少なくとも支持具近辺が金属製であるとともに、
前記接続部と、前記支持具とも、金属製であり、発光板にて生じた熱をランプカバーに放熱するために前記接続部と前記支持部とは面接触するように構成されている請求項５に記載のランプシステム。
【考案の詳細な説明】
【技術分野】
【０００１】
本件考案は、ＬＥＤ直管型ランプ構造体ならびにＬＥＤ直管型ランプ構造体と従来型の蛍光ランプのソケットとランプカバーとランプカバーに配置された支持具とを有するランプ装置とからなるランプシステムに関する。
【背景技術】
【０００２】
近年、蛍光灯に代わってＬＥＤランプが普及しつつある。ＬＥＤランプは、蛍光灯に比べ、消費電力が少なく、寿命が長く、白色系に限られず様々な色を発光させることができるという長所がある。
【０００３】
また、既設の蛍光灯器具をそのまま利用することで、蛍光灯に代えてＬＥＤランプを簡単に取り付けることができるようにしたものも知られている。
【０００４】
例えば、特許文献１には、蛍光管のワット数に応じた規定の長さに設定され、蛍光管を取外してそのまま既設の蛍光灯器具に簡単に取付けることができる蛍光灯型ＬＥＤ照明装置が開示されている（特許文献１参照）。
【先行技術文献】
【特許文献】
【０００５】
【特許文献１】特開２００１‐３５１４０２号公報
【考案の開示】
【考案が解決しようとする課題】
【０００６】
しかし、これまで１１０ワット型の直管型蛍光灯のように管長の長い（１１０ワット型の場合管長２３６７ｍｍ）直管型蛍光灯に代替し得るＬＥＤ直管型ランプを提供することは困難であった（なお、本明細書において直管型蛍光灯とは、ＪＩＳＣ７６１７−２「直管蛍光ランプ−第２部：性能規定」の２．３．１「データシートのリスト」に規定された直管蛍光ランプを指す）。これは、ＬＥＤランプの管体は変形しやすいプラスティック（樹脂）製であるため、このように管長が長いＬＥＤ直管型ランプを照明器具に取り付けた場合、管体の強度が不足して湾曲してしまい、ランプがソケットから外れて落下する危険があるためである。
【０００７】
図９は、管長が長いＬＥＤ直管型ランプを照明器具に取り付けた場合の不具合について説明するための図である。図９（ａ）に示すＬＥＤ直管型ランプは、例えば１１０ワット型の直管型蛍光灯のように管長の長い既存の蛍光灯と同じ管長の管体０９１０´を有し、その両端にソケットに差し込むための電極０９１１´を備えている。そこで、図９（ｂ）に示すように、これをそのまま既設の蛍光灯器具のソケット０９４０に取り付けることができる。しかし、本例のＬＥＤ直管型ランプは、管体が樹脂製である。そこで、このように管長が長いＬＥＤ直管型ランプを照明器具に取り付けた場合、図９（ｃ）に示すように、管体の強度が不足して湾曲してしまい、ランプがソケットから外れて落下する危険がある。図９（ｄ）は（ｃ）の概ね破線円０９５０で囲んだ部分の拡大図であり、管体０９１０´が湾曲して電極０９１１´がソケット０９４０から外れかかっている状態を示したものである。
【０００８】
また、プラスティック製の管体は熱に弱いという問題もあるため、従来型の蛍光灯と同じ構造ではＬＥＤからの放熱処理もうまく行うことができず、管体の強度がさらに減ってしまうという問題もあった。
【０００９】
そこで、本考案の解決すべき課題は、管長が長い従来型の直管型蛍光灯に代替し得るＬＥＤ直管型ランプを提供することにある。具体的には、照明器具に取り付けた場合でも管体が湾曲してランプがソケットから外れて落下する危険がないＬＥＤ直管型ランプおよびかかるＬＥＤ直管型ランプを有するランプシステムを提供することにある。また、ＬＥＤからの放熱処理を好適に行うことができる構造を有するＬＥＤ直管型ランプ構造体およびかかるＬＥＤ直管型ランプを有するランプシステムを提供することにある。
【課題を解決するための手段】
【００１０】
以上の課題を解決するため、第一の考案は、従来型の蛍光ランプのソケットを利用でき、略中央で二つのＬＥＤ直管型ランプを接続して構成されるＬＥＤ直管型ランプ構造体であって、各ＬＥＤ直管型ランプは、従来型の蛍光ランプのソケットに対応する電極と、その電極から給電されて発光する複数のＬＥＤ素子をプリント基板上に備えた発光板と、前記発光板を電気的に他のＬＥＤ直管型ランプの発光板に接続するとともに、支持具によって把持されるための領域を備えた接続部とを有するＬＥＤ直管型ランプ構造体を提供する。
【００１１】
また、第二の考案は、発光板は、プラスティック製の筒の中に配置されているＬＥＤ直管型ランプ構造体を提供する。
【００１２】
また第三の考案は、第一または第二の考案を基礎として、接続部は、いずれか一方のＬＥＤ直管型ランプに備えられた雄ねじ部と、他のＬＥＤ直管型ランプに備えられた雌ねじ部とからなるＬＥＤ直管型ランプ構造体を提供する。
【００１３】
また、第四の考案は、第一から第三のいずれか一の考案を基礎として、定格消費電力が１１０ワットであるＬＥＤ直管型ランプ構造体を提供する。
【００１４】
また、第五の考案は、第一から第四のいずれか一の考案に係るＬＥＤ直管型ランプ構造体と、従来型の蛍光ランプのソケットと、ランプカバーと、ランプカバーに配置された支持具とを有するランプ装置とからなるランプシステムを提供する。
【００１５】
また、第六の考案は、第五の考案を基礎として、前記ランプカバーは少なくとも支持具近辺が金属製であるとともに、前記接続部と、前記支持具とも、金属製であり、発光板にて生じた熱をランプカバーに放熱するために前記接続部と前記支持部とは面接触するように構成されているランプシステムを提供する。
【考案の効果】
【００１６】
本考案により、管長が長い従来型の直管型蛍光灯に代替し得るＬＥＤ直管型ランプを提供することが可能となる。具体的には、照明器具に取り付けた場合でも管体が湾曲してランプがソケットから外れて落下する危険がないＬＥＤ直管型ランプおよびかかるＬＥＤ直管型ランプを有するランプシステムを提供することが可能となる。また、ＬＥＤからの放熱処理を好適に行うことができる構造を有するＬＥＤ直管型ランプ構造体およびかかるＬＥＤ直管型ランプを有するランプシステムを提供することが可能となる。
【図面の簡単な説明】
【００１７】
【図１】本考案に係るＬＥＤ直管型ランプ構造体の一例を示す図
【図２】本考案に係るＬＥＤ直管型ランプ構造体を天井に埋め込まれた照明器具に取り付けた場合の外観の一例を示す図
【図３】実施例２のＬＥＤ直管型ランプ構造体における接続部の構造の一例を示す図
【図４】実施例３のランプシステムにおける支持具の形状の一例を示す図
【図５】実施例３のランプシステムにおける支持具の構成について説明するための図
【図６】発光板で生じた熱をランプカバーに放熱するための構成について説明するための図
【図７】発光板、筒の金属製部分、接続部の構造の一例を示す図
【図８】発光板で生じた熱をランプカバーに放熱するための構成について説明するための図
【図９】管長が長いＬＥＤ直管型ランプを照明器具に取り付けた場合の不具合について説明するための図
【符号の説明】
【００１８】
０１１０      ＬＥＤ直管型ランプ構造体
０１１０ａ    一のＬＥＤ直管型ランプ
０１１０ｂ    他のＬＥＤ直管型ランプ
０１１１ａ    一のＬＥＤ直管型ランプの電極
０１１１ｂ    他のＬＥＤ直管型ランプの電極
０１１２ａ    一のＬＥＤ直管型ランプの接続部
０１１２ｂ    他のＬＥＤ直管型ランプの接続部
０１２０      支持具
０２００      ランプシステム
０２１０      ＬＥＤ直管型ランプ構造体
０２２０      支持具
０２３０      ランプカバー
【考案を実施するための形態】
【００１９】
以下に、本考案の実施例を説明する。実施例と請求項の相互の関係については、実施例１は主に請求項１、２、４などに関し、実施例２は主に請求項３などに関し、実施例３は主に請求項５、６などに関する。なお、本考案はこれら実施例に何ら限定されるものではなく、その要旨を逸脱しない範囲において、種々なる態様で実施しうる。
【実施例１】
【００２０】
<概要>
【００２１】
本実施例のＬＥＤ直管型ランプ構造体は、従来型の蛍光ランプのソケットを利用でき、略中央で二つのＬＥＤ直管型ランプを接続して構成されるＬＥＤ直管型ランプ構造体である。
【００２２】
また、各ＬＥＤ直管型ランプには、互いに接続される側の一方の端（即ち、二つのＬＥＤランプを接続したときの中央部分）にそれぞれ接続部が備えられ、ここを支持具で把持することで、当該ＬＥＤ直管型ランプ構造体をランプセットに取り付けた際に湾曲してソケットからはずれることがないようにしたものである。
【００２３】
（全般）
【００２４】
本考案に係るＬＥＤ直管型ランプ構造体の構成について述べる。
【００２５】
図１は、本考案に係るＬＥＤ直管型ランプ構造体の一例を示す図である（なお、本考案に係るＬＥＤ直管型ランプ構造体は、既設の蛍光灯器具をそのまま利用して取り付け可能に構成されるため、実際の管長、および発光板がプラスティック製の筒の中に配置されている場合には管径が、既存の蛍光灯の規格に一致したものとなるが、本図は概念を示すためのものであるので、必ずしも実際の寸法比率を示しているわけではない。他図においても同様である）。
【００２６】
（ＬＥＤ直管型ランプ）
【００２７】
本考案に係るＬＥＤ直管型ランプ構造体は、略中央で二つのＬＥＤ直管型ランプを接続して構成されるものであるところ、まず、図１（ａ）は、ＬＥＤ直管型ランプ構造体を構成する二つのＬＥＤ直管型ランプのうちの一のＬＥＤ直管型ランプ０１１０ａを示す。本図に示すように、当該ＬＥＤ直管型ランプは、電極０１１１ａと発光板（本図には現れない）と接続部０１１２ａとを有する。
【００２８】
このＬＥＤ直管型ランプは、二つのＬＥＤ直管型ランプを接続したときに蛍光灯の規格管長（および管径）と同一の寸法になるように、それぞれが蛍光灯の略半分の管長（および蛍光灯と同一寸法の管径）に設定される。
【００２９】
代替対象となる蛍光灯の規格管長等には限定はなく、ＪＩＳＣ７６１７−２「直管蛍光ランプ−第２部：性能規定」の２．３．１「データシートのリスト」に規定された任意のいずれかの規格の直管型蛍光灯に対応するように設計可能である。
【００３０】
ただし、本考案は、既述のように、１１０ワット型直管型蛍光灯に代替するＬＥＤ直管型ランプのような管長の長いものを照明器具に取り付けた場合に管体の強度が不足して湾曲し、ランプがソケットから外れて落下する危険があるという問題点を解消するためのものであり、代替対象となる蛍光灯は好適には１１０ワット型直管型蛍光灯である。従って、この場合には、ＬＥＤ直管型ランプ構造体の管長は１１０ワット型直管型蛍光灯の管長と同じく２３６７ｍｍとなり、それぞれのＬＥＤ直管型ランプの管長は、概ね１１８３ｍｍ前後となる。なお、ここでいうＬＥＤ直管型ランプ構造体が既存の蛍光灯と同じというのは既設の蛍光灯照明器具にそのまま取り付けられるという意味であるから、各ＬＥＤ直管型ランプのほかに別部材を加えて全体の長さを既存の蛍光灯と同じにしたものであっても、本考案の技術的範囲に含まれることはいうまでもない。
【００３１】
一方、本考案のもう一つの解決課題であるＬＥＤからの放熱処理を好適に行うことができる構造を有するＬＥＤ直管型ランプ構造体の提供という点からは、あらゆる規格の直管型蛍光灯が等しく好適な代替対象となる。なぜなら、このような放熱処理の必要性は管長の長短とは関係なく必要なものであるからである。
【００３２】
二つのＬＥＤ直管型ランプは、完全に同一の形状、構造としてもよい。もっとも、後述するように、ＬＥＤ直管型ランプは、一方に雄ねじ部を備え、他方に雌ねじ部を備えることで、雄ねじ部を雌ねじ部にねじ込んで接続できるようになっていてもよいので、この場合には、二つのランプの構造は異なることになる。二つのＬＥＤ直管型ランプを完全に同一の形状、構造とした場合には、生産ラインを共通化でき、またスペアのランプが一つあればどちらの一方が破損した場合でも代替できるので、コスト節減を図ることができる。
【００３３】
（電極）
【００３４】
ソケットに差し込むための電極は、ＬＥＤ直管型ランプの一方の端にのみ備えられる。この電極は従来型の蛍光ランプのソケットに対応する電極である。これは、二つのＬＥＤ直管型ランプを接続してＬＥＤランプ構造体を形成した場合に、当該ＬＥＤ直管型ランプ構造体を従来の蛍光灯器具をそのまま利用して取り付けることができるようにするためである。
【００３５】
（発光板）
【００３６】
発光板は、その電極から給電されて発光する複数のＬＥＤ素子をプリント基板上に備えたものである。
【００３７】
発光板は、プラスティック製の筒の中に配置されていてもよい。本ＬＥＤ直管型ランプ構造体は従来型の直管型蛍光灯に代替するものであり、従来の蛍光灯器具をそのまま利用可能なものである。そこで、従来型の蛍光灯から本ＬＥＤ直管型ランプ構造体に取り替えた際に部屋の雰囲気等があまり変わらないようにすることが好ましいと考えた場合には、このように発光板をプラスティック製の筒の中に配置することで蛍光灯と同様の外観とすることが望ましい。本図の例も、発光板がプラスティック製の筒の中に配置されている例を示したものである。
【００３８】
（接続部）
【００３９】
接続部は、ＬＥＤ直管型ランプの電極とは反対側の端にのみ備えられる。この接続部は前記発光板を電気的に他のＬＥＤ直管型ランプの発光板に接続するとともに、支持具によって把持されるための領域を有する。
【００４０】
発光板を電気的に他のＬＥＤ直管型ランプの発光板に接続するための構造には特に限定はないが、好適には、いずれか一方のＬＥＤ直管型ランプ雄ねじ部が備えられ、他のＬＥＤ直管型ランプに雌ねじ部が備えられ、両ねじ部を螺合することで両ＬＥＤ直管型ランプを接続する構造としたものが考えられる。かかる構造の詳細については、別の実施例で説明する。
【００４１】
支持具についても別の実施例で詳述するが、ここで簡単に述べておくと、この支持具はランプカバーに配置され、ＬＥＤ直管型ランプ構造体の略中央に位置することになる接続部を把持することで、ＬＥＤ直管型ランプ構造体が湾曲してソケットから外れて落下することがないようにするためのものである。
【００４２】
なお、発光板がプラスティック製の筒の中に配置されておらず、複数のＬＥＤ素子を備えたプリント基板が露出している場合であっても、ＬＥＤ直管型ランプ構造体が湾曲してソケットから外れて落下することがないようにするためのかかる支持具・接続部といった構造は必要である。なぜなら、１１０ワット型蛍光灯代替ＬＥＤ直管型ランプのように管長の長いＬＥＤ直管型ランプにあっては、複数のＬＥＤ素子を備えたプリント基板もやはりプラスティック等の強度の弱い素材であることから、湾曲するおそれがある点は同じだからである。
【００４３】
（ＬＥＤ直管型ランプ構造体）
【００４４】
図１（ｂ）は、二つのＬＥＤ直管型ランプを接続してＬＥＤ直管型ランプ構造体０１１０を形成した状態を示す。本図の左側に現れているＬＥＤ直管型ランプ０１１０ａは、図１（ａ）に示したものと同じものである。右側に現れているＬＥＤ直管型ランプ０１１０ｂは、左側に現れているＬＥＤ直管型ランプと略左右対称の外形を有するものである。
【００４５】
従って、ＬＥＤ直管型ランプ構造体を形成した状態では、略中央に接続部０１１２ａ、０１１２ｂが対向する形で接しており、両端に従来型の蛍光ランプのソケットに対応する電極０１１１ａ、０１１１ｂを備えた状態となる。
【００４６】
そして、前述のように、本考案に係るＬＥＤ直管型ランプ構造体は、代替対象となる蛍光灯の規格管長（および管径）に対応する寸法を有するので、本考案に係るＬＥＤ直管型ランプ構造体をそのまま既設の蛍光灯器具に取り付けることができる。
【００４７】
また、これも前述のように、略中央に位置する接続部をランプカバーに配置されたが支持具が把持することで、ＬＥＤ直管型ランプ構造体が湾曲してソケットから外れて落下することがないようにすることができる。
【００４８】
図１（ｃ）は、図１（ｂ）に示したＬＥＤ直管型ランプ構造体０１１０に加え、接続部の領域が支持具０１２０によって把持されている状態を示す。
【００４９】
支持具を用いた本考案のＬＥＤ直管型ランプ構造体のランプカバーへの取付け要領については別の実施例にて後述するが、本実施例によれば、管長が長い従来型の直管型蛍光灯に代替し得るＬＥＤ直管型ランプであって、照明器具に取り付けた場合でも管体が湾曲してランプがソケットから外れて落下する危険がないＬＥＤ直管型ランプを提供することが可能となる。
【００５０】
図２に示すように、本考案に係るＬＥＤ直管型ランプ構造体０２１０を照明器具（ランプシステム）０２００の一部として利用することができる（詳細は別の実施例で後述する）。なお、ＬＥＤ直管型ランプ構造体の点灯等に必要な電源等は、ランプ内に備えられていても、照明器具側に備えられていてもよい。図２においては、ランプカバーが天井に埋め込まれている状態のランプシステムを示している。
【００５１】
なお、本実施例とは異なるが、ＬＥＤ直管型ランプ構造体は、三つ以上のＬＥＤ直管型ランプを接続して構成されるものとすることも可能である。この場合の具体的構成は、基本的に上述した各ＬＥＤ直管型ランプの構成を適宜組み合わせることで実現可能である。例えば、三つのＬＥＤ直管型ランプを接続してＬＥＤ直管型ランプ構造体とする場合であれば、両端の二つのランプは、本実施例のランプと同様に一方にソケットに差し込むための電極、他方に接続部を備え、中央に配置される一つのランプは、両端が接続部と同様の構造を持つものとすればよい。
【００５２】
<効果>
【００５３】
本実施例の考案により、管長が長い従来型の直管型蛍光灯に代替し得るＬＥＤ直管型ランプを提供することが可能となる。具体的には、照明器具に取り付けた場合でも管体が湾曲してランプがソケットから外れて落下する危険がないＬＥＤ直管型ランプを提供することが可能となる。
【実施例２】
【００５４】
<概要>
【００５５】
本実施例のＬＥＤ直管型ランプ構造体は、実施例１のＬＥＤ直管型ランプ構造体と基本的に共通するが、特に、接続部がいずれか一方のＬＥＤ直管型ランプに備えられた雄ねじ部と他のＬＥＤ直管型ランプに備えられた雌ねじ部とからなり、両ねじ部を螺合することで両ＬＥＤ直管型ランプを接続できる構造にしたことを特徴とするものである。
【００５６】
<構成>
【００５７】
（全般）
【００５８】
本実施例のＬＥＤ直管型ランプ構造体は、実施例１のＬＥＤ直管型ランプ構造体と基礎として、接続部が、いずれか一方のＬＥＤ直管型ランプに備えられた雄ねじ部と、他のＬＥＤ直管型ランプに備えられた雌ねじ部とからなる。この場合のＬＥＤ直管型ランプ構造体は、発光板が露出したものであってもよいし、発光板がプラスティック製の筒の中に配置されているものであってもよい。
【００５９】
図３は、本実施例のＬＥＤ直管型ランプ構造体における接続部の構造の一例を示す図である。本図の例は、発光板がプラスティック製の筒の中に配置されている例である。
【００６０】
図３（ａ）は二つのＬＥＤ直管型ランプ０３１０ａ、０３１０ｂが未だ接続されずに分離している状態を示す。本図に示すように、いずれか一方のＬＥＤ直管型ランプ（本図では右側のランプ）０３１０ｂの接続部は雄ねじ部０３１２ｂである。本図の例では、雄ねじ部はＬＥＤ直管型ランプの管径よりやや短い管径を有しており、ＬＥＤ直管型ランプの先端に備えられている。また、雄ねじ部の先端には電極０３１５ｂが固定的に備えられている。また、管内には複数のＬＥＤ素子０３１４ｂをプリント基板上に備えた発光板０３１３ｂが配置され、電極からリード線０３１７を介して給電される。
【００６１】
また、他のＬＥＤ直管型ランプ（本図では左側のランプ）０３１０ａの接続部は雌ねじ部０３１２ｂである。本図の例では、雌ねじ部はＬＥＤ直管型ランプの接続部の内側に雄ねじ部に見合う内径で螺設されている。なお、本図の例のように、雌ねじ部のねじ山がプラスティック製の筒の中まで切られていてもよい。この雌ねじ部の奥部（好適には本図のように雌ねじ部の最奥部より少し手前の位置）にも電極０３１５ａが備えられている。この電極は、雄ねじ部の電極が固定的に備えられているのと異なり、コイルばね０３１６に接続されたスプリング電極になっており、矢印Ａ方向に付勢されている。このランプ内にもＬＥＤ素子０３１４ａをプリント基板上に備えた発光板０３１３ａが配置される。本図の例では、コイルばね０３１６がリード線を兼ねており、これを通じて電極から発光板への給電が行われるようになっている。
【００６２】
図３（ｂ）は、二つのＬＥＤ直管型ランプ構造体を接続している過程の状態を示す。本図の例では、右側のランプ０３１０ｂの雄ねじ部０３１２ｂを左側のランプ０３１０ａの雌ねじ部０３１２ａに螺合していき、丁度雄ねじ部の電極０３１５ｂが雌ねじ部の電極０３１５ａに接した位置まで移動した状態を示す。
【００６３】
図３（ｃ）は、図３（ｂ）の状態からさらに雄ねじをねじ込んで、ＬＥＤ直管型ランプ構造体の二つの接続部０３１５ａ、０３１５ｂどうしが完全に接した状態を示す。この状態では、雄ねじ部がさらに雌ねじ部の奥にねじ込まれたことで、雄ねじ部の先端の電極が雌ねじ部の奥部の電極をさらに左方に押し込んだ状態となる。このため雌ねじ部の電極に接続されたスプリング０３１６が左側に圧縮され、スプリングの矢印Ａ方向への付勢力によって両方の電極が確実に電気的な接触を保つことができる。また、このように雄ねじ部と雌ねじ部を設けてねじ込み構造とすることで、特に定格消費電力１１０ワットのＬＥＤ直管型ランプ構造体のように管長の長いＬＥＤ直管型ランプ構造体の場合に、その強度をより増すことができる。かかる強度の観点からは、定格消費電力１１０ワットのＬＥＤ直管型ランプ構造体の場合の雄ねじ部の長さは、１０ｃｍ程度以上であることが望ましい。
【００６４】
これらの雄ねじ部、雌ねじ部は、雄ねじを雌ねじに完全にねじ込んで、ＬＥＤ直管型ランプ構造体の二つの接続部どうしが完全に接した状態となったときに、ＬＥＤ直管ランプ構造体の両端の電極が左右同じ向きになるようにねじ山が形成されていることが望ましい。これは、本ＬＥＤ直管型ランプ構造体を既設の蛍光灯器具に取り付けようとしたときに、ソケットに差し込めるように電極が正しい向きに配置されていることが望ましいためである。
【００６５】
あるいは、電極が図１などに示したような二本のピンからなるものではなく、中心接点と環状の受け金との組み合わせとしてもよく、この場合には、上述のような電極の向きに配慮したねじ山の形成は不要である。
【００６６】
なお、図示は省略したが、本実施例の接続部を発光板が露出したタイプのＬＥＤ直管型ランプ構造体に備える場合にも、各ＬＥＤ直管型ランプのそれぞれ一方の端部に本図と同様の雄ねじ部と雌ねじ部を備えればよい。平たく言えば、図４の各ＬＥＤ直管型ランプからそれぞれプラスティック製の筒部分を除去するだけでよい（ただし、当然ながらこの場合には、雌ねじ部は接続部の内側だけに設けられることになる）。
【００６７】
<効果>
【００６８】
本実施例の考案により、雄ねじと雌ねじを螺合させることで二つのＬＥＤ直管型ランプを確実につなげることができるとともに、つなげたときの両ＬＥＤ直管型ランプ間の電気的接触を確実に保つことが可能となる。
【実施例３】
【００６９】
<概要>
【００７０】
本実施例のランプシステムは、実施例１または２で説明したＬＥＤ直管型ランプ構造体を有するランプシステムである。即ち、従来型の蛍光ランプ用のランプシステムをそのまま利用でき、単に従来型の蛍光ランプをＬＥＤ直管型ランプ構造体に取り換えるだけで使用可能なランプシステムである。
【００７１】
<構成>
【００７２】
（全般）
【００７３】
本実施例のランプシステムは、実施例１または２で説明したＬＥＤ直管型ランプ構造体と、従来型の蛍光ランプのソケットと、ランプカバーと、ランプカバーに配置された支持具とを有するランプ装置とからなる。
【００７４】
本実施例のランプシステムにおけるＬＥＤ直管型ランプ構造体も、発光板が露出したものであってもよいし、発光板がプラスティック製の筒の中に配置されているものであってもよい。また、本実施例のランプシステムにおけるＬＥＤ直管型ランプ構造体の接続部が、いずれか一方のＬＥＤ直管型ランプに備えられた雄ねじ部と他のＬＥＤ直管型ランプに備えられた雌ねじ部とからなるものであってもよい。
【００７５】
また、本実施例のランプシステムも、これに用いるＬＥＤ直管型ランプ構造体が定格消費電力１１０ワットのＬＥＤ直管型ランプ構造体の場合に、最も好適に考案の効果を発揮し得る。
【００７６】
本実施例のランプシステムの外観の一例は、前出の図２に示したとおりである。同図に示すように、ランプシステム０２００は、ＬＥＤ直管型ランプ構造体０２１０と、ランプ装置とからなり、ランプ装置は、従来型の蛍光ランプのソケット（本図には現れない）と、ランプカバー０２３０と、ランプカバーに配置された支持具０２２０とを有する。本図の例は、発光板がプラスティック製の筒の中に配置されている例である。
【００７７】
これらのうち、ＬＥＤ直管型ランプ構造体の構成は実施例１、２ですでに説明したとおりである。また、ソケットとランプカバーは、従来型の蛍光ランプのランプシステムのソケットとランプカバーをそのまま使用可能である。そこで、これらの説明は省略し、以下では従来型の蛍光ランプのランプシステムとは異なる本考案の特徴である支持具について説明する。
【００７８】
（支持具）
【００７９】
「支持具」は、ランプカバーに配置される部材であって、ＬＥＤ直管型ランプ構造体の接続部を把持するためのものである。このため、すでに述べたように、ＬＥＤ直管型ランプ構造体の接続部には支持具によって把持されるための領域が備えられる。
【００８０】
図４は、本実施例のランプシステムにおける支持具の形状の一例を示す図である。本図の例では、支持具０４２０はＬＥＤ直管型ランプを把持するためにランプの形状に合わせた円弧状を有しかつ一定の帯幅を有する二つのアーム部０４２１と、当該二つのアーム部を連結するとともに、ランプカバーに取り付けるための取付け面０４２２とを有する。ランプカバーへの取付けは、例えばランプカバーの天井面に取付け面をあてがい、ビス等で固定すればよい。本図の取付け面に現れている小孔は、このためのビス穴０４２３である。
【００８１】
支持具は、好適には金属製である。これは、後に詳述するように、発光板で生じた熱をランプカバーに放熱するためである。この場合には、ランプカバーの少なくとも支持具近辺と接続部も金属製であることが必須となる。
【００８２】
図５は、本実施例のランプシステムにおける支持具の構成について説明するための図であって、図２のＸ‐Ｘ垂直断面図である（なお、発光板の図示は省略した）。
【００８３】
本図では、支持具０５２０がランプカバー０５３０に取り付けられ、かつ支持具がＬＥＤ直管型ランプ構造体０５１０を把持している状態が示されている。本図の例ではランプカバーへの取付けは、ランプカバーの天井面に支持具の取付け面をあてがいビス０５２４で固定した例である。
【００８４】
（発光板で生じた熱をランプカバーに放熱するための構成）
【００８５】
次に、本実施例の好適例をなすランプシステムが有する発光板で生じた熱をランプカバーに放熱するための構成について、図６〜図８を用いて説明する。
【００８６】
図６は、発光板で生じた熱をランプカバーに放熱するための構成について説明するための図であって、このうちまず発光板から接続部までの熱伝導の構造を示す図である。このうち、図６（ａ）は、本実施例のランプシステムにおけるＬＥＤ直管型ランプ構造体の一例を示す図である。本図に示すＬＥＤ直管型ランプ構造体０６１０は、図１に示したものと同様、略中央で二つのＬＥＤ直管型ランプ０６１０ａ、０６１０ｂを接続して構成されるものであり、それぞれのＬＥＤ直管型ランプは、電極０６１１ａ、０６１１ｂと発光板（本図には現れない）と接続部０６１２ａ、０６１２ｂとを有する。ただし、図１の例では発光板は全周がプラスティック製の筒の中に配置されているが、これとは異なり本図の例では、発光板を配置する筒の上部１／４〜１／３程度は金属製（好適には、熱伝導率が高く、しかも軽量で光反射性に優れるアルミニウム製）部分０６１８ａ、０６１８ｂで構成され、筒のその他の部分がプラスティック製部分０６１９ａ、０６１９ｂで構成されている。金属製部分とプラスティック部分は接合されており、全体として一つの筒を形成している。金属製部分とプラスティック部分の接合には公知技術（例えば接着剤を用いて接合する技術）を用いればよい。
【００８７】
それぞれのＬＥＤ直管型ランプの金属製部分０６１８ａ、０６１８ｂは、それぞれの接続部０６１２ａ、０６１２ｂと直接接している。本実施例ではこの接続部も金属製（好適にはアルミニウム製）である。また、図６（ａ）には現れていないが、この金属製部分０６１８ａ、０６１８ｂは金属製の発光板とも直接接している。この発光板には、プリント基板上にＬＥＤ素子が備えられている。
【００８８】
そこで、ＬＥＤ素子から熱が発せられることにより発光板に生じた熱は、これに直接接している筒の金属製部分に伝えられる。さらに、筒の金属製部分に伝えられた熱はこれに直接接している接続部に伝えられる。そして、後述するように、この接続部に面接触する金属製の支持部を介して、熱がランプカバーに伝えられ、ランプカバーから放熱することが可能となる。図６（ｂ）は、図６（ａ）のＹ‐Ｙ垂直断面図（ただし、縮尺は一致していない）であって、ＬＥＤ素子０６１４から熱が発せられることにより発光板に生じた熱が、発光板０６１３を矢印Ａ方向に伝わり、筒の金属製部分０６１８ｂに伝えられる様子を示したものである。また、本図には、前述のように発光板を配置する筒０６１０ｂの上部１／４〜１／３程度が金属製部分０６１８ｂであり、筒のその他の部分がプラスティック製部分０６１９ｂであって、金属製部分とプラスティック部分が接合されて全体として一つの筒を形成している様子も示されている。
【００８９】
図７は、発光板、筒の金属製部分、接続部の構造の一例を示す図である。本図に示すように、発光板０７１３の下側に複数（本図の例では八個）のＬＥＤ素子０７１４が取り付けられている。また、発光板は筒の金属製部分０７１８に直接接している。さらに、筒の金属製部分は接続部０７１２に直接接している。そこで、ＬＥＤ素子から熱が発せられることにより発光板に生じた熱は、これに直接接している筒の金属製部分に伝えられ、さらに、これに直接接している接続部に伝えられる構造になっていることが、本図に示されている。この発光板、筒の金属製部分、接続部は、例えば同一の金属材料を用いて一体的に成形してもよい。
【００９０】
上のような構造によって、接続部に伝えられた熱は、次に支持具に伝えられる。即ち、本実施例のランプシステムにおける支持具はやはり金属製（好適にはアルミニウム製）であり、接続部と面接触するように構成される。支持具が接続部を把持するための構成は、実施例１で図１などを用いて説明したところと同様である。
【００９１】
図８は、発光板で生じた熱をランプカバーに放熱するための構成について説明するための図である。本図は、ＬＥＤ直管型ランプ構造体の両接続部の接合面（図６（ａ）でいえば両接続部０６１２ａ、０６１２ｂが接する面）における垂直断面図である。ただし、図６（ａ）の例とは異なり、ＬＥＤ直管型ランプ構造体を支持具で把持した状態を示したものである。また、説明の便宜上、接続部及びこれによって直接囲まれている部分（例えば雄ねじや雌ねじを形成するプラスティック製部分）の図示は省略して、向こう側の筒の金属製部分、発光板及びＬＥＤ素子が直接見える状態で示した。
【００９２】
本図に示したように、ＬＥＤ素子０８１４から熱が発せられることにより発光板０８１３に生じた熱が矢印Ａ方向に筒の金属製部分０８１８に伝えられ、さらに接続部（図示を省略）に伝えられると、この接続部は、支持具０８１２と面接触している（本図には表れていないが、図１（ｃ）などに示したところから明らかなように、接続部は本図の筒（金属製部分０８１８とプラスティック製部分０８１９を合わせた全周部分）と同じ位置に現れ、実際にはこの接続部が支持具によって面接触により把持されることとなる）。そこで、接続部に伝えられた熱は全面から支持具に伝えられる。そして、支持具はランプカバー０８３０にビス０８２４などによって取り付けられているところ、このランプカバーは、少なくとも支持具近辺が金属製である。このため、支持具に伝えられた熱は、このランプカバーに対して矢印Ｂ方向に伝えられる。さらに、ランプカバーに伝えられた熱は、その上方の空間などに例えば矢印Ｃ方向に放熱される。
【００９３】
なお、以上では、ＬＥＤ直管型ランプ構造体の筒の上方部分が金属製である好適例で説明したが、放熱のための構造はこれに限られず、例えば、ＬＥＤ直管型ランプ構造体の筒の全周がプラスティック製である場合に、発光板からの熱が発光板と接続部との接触部分を介して接続部に伝えられ、その後は上に述べたのと同様の構成によって支持具からランプカバーに伝えられて放熱されるものであってもよい。要するに、ランプカバーの少なくとも支持具近辺、接続部および支持具が金属製であり、接続部と支持部とが面接触するように構成されているランプシステムであれば、すべて本考案の技術的範囲に含まれる。
【００９４】
<効果>
【００９５】
本実施例の考案により、従来型の蛍光ランプ用のランプシステムをそのまま利用でき、単に従来型の蛍光ランプをＬＥＤ直管型ランプ構造体に取り換えるだけで使用可能なランプシステムの提供が可能となる。また、支持具等を金属製にすることで、放熱を好適に行うことができる。
【図１】
0003152509.tif 000003
【図２】
0003152509.tif 000004
【図３】
0003152509.tif 000005
【図４】
0003152509.tif 000006
【図５】
0003152509.tif 000007
【図６】
0003152509.tif 000008
【図７】
0003152509.tif 000009
【図８】
0003152509.tif 000010
【図９】
0003152509.tif 000011
【手続補正書】
【提出日】平成21年4月15日(2009.4.15)
【手続補正１】
【補正対象書類名】実用新案登録請求の範囲
【補正対象項目名】請求項１
【補正方法】変更
【補正の内容】
【請求項１】
従来型の直管型蛍光灯（「従来型の直管型蛍光灯」とは、ＪＩＳＣ７６１７−２「直管蛍光ランプ−第２部：性能規定」の２．３．１「データシートのリスト」に規定された直管蛍光ランプをいう。以下、本請求項において同じ）のソケットを利用でき、略中央で二つのＬＥＤ直管型ランプを接続して構成されるＬＥＤ直管型ランプ構造体であって、
各ＬＥＤ直管型ランプは、
従来型の直管型蛍光灯のソケットに対応する電極と、
その電極から給電されて発光する複数のＬＥＤ素子をプリント基板上に備えた発光板と、
前記発光板を電気的に他のＬＥＤ直管型ランプの発光板に接続するとともに、支持具によって把持されるための領域を備えた接続部と、
を有するＬＥＤ直管型ランプ構造体。
【手続補正２】
【補正対象書類名】実用新案登録請求の範囲
【補正対象項目名】請求項５
【補正方法】変更
【補正の内容】
【請求項５】
請求項１から４のいずれか一に記載のＬＥＤ直管型ランプ構造体と、
従来型の直管型蛍光灯（「従来型の直管型蛍光灯」とは、ＪＩＳＣ７６１７−２「直管蛍光ランプ−第２部：性能規定」の２．３．１「データシートのリスト」に規定された直管蛍光ランプをいう。）のソケットと、
ランプカバーと、
ランプカバーに配置された支持具と、
を有するランプ装置と、からなるランプシステム。
【手続補正３】
【補正対象書類名】明細書
【補正対象項目名】０００１
【補正方法】変更
【補正の内容】
【０００１】
本件考案は、ＬＥＤ直管型ランプ構造体ならびにＬＥＤ直管型ランプ構造体と従来型の直管型蛍光灯のソケットとランプカバーとランプカバーに配置された支持具とを有するラン
プ装置とからなるランプシステムに関する。
【手続補正４】
【補正対象書類名】明細書
【補正対象項目名】０００８
【補正方法】変更
【補正の内容】
【０００８】
また、プラスティック製の管体は熱に弱いという問題もあるため、従来型の直管型蛍光灯と同じ構造ではＬＥＤからの放熱処理もうまく行うことができず、管体の強度がさらに減ってしまうという問題もあった。
【手続補正５】
【補正対象書類名】明細書
【補正対象項目名】００１０
【補正方法】変更
【補正の内容】
【００１０】
以上の課題を解決するため、第一の考案は、従来型の直管型蛍光灯のソケットを利用でき、略中央で二つのＬＥＤ直管型ランプを接続して構成されるＬＥＤ直管型ランプ構造体であって、各ＬＥＤ直管型ランプは、従来型の直管型蛍光灯のソケットに対応する電極と、その電極から給電されて発光する複数のＬＥＤ素子をプリント基板上に備えた発光板と、前記発光板を電気的に他のＬＥＤ直管型ランプの発光板に接続するとともに、支持具によって把持されるための領域を備えた接続部とを有するＬＥＤ直管型ランプ構造体を提供する。
【手続補正６】
【補正対象書類名】明細書
【補正対象項目名】００１４
【補正方法】変更
【補正の内容】
【００１４】
また、第五の考案は、第一から第四のいずれか一の考案に係るＬＥＤ直管型ランプ構造体と、従来型の直管型蛍光灯のソケットと、ランプカバーと、ランプカバーに配置された支持具とを有するランプ装置とからなるランプシステムを提供する。
【手続補正７】
【補正対象書類名】明細書
【補正対象項目名】００２１
【補正方法】変更
【補正の内容】
【００２１】
本実施例のＬＥＤ直管型ランプ構造体は、従来型の直管型蛍光灯のソケットを利用でき、略中央で二つのＬＥＤ直管型ランプを接続して構成されるＬＥＤ直管型ランプ構造体である。
【手続補正８】
【補正対象書類名】明細書
【補正対象項目名】００３４
【補正方法】変更
【補正の内容】
【００３４】
ソケットに差し込むための電極は、ＬＥＤ直管型ランプの一方の端にのみ備えられる。この電極は従来型の直管型蛍光灯のソケットに対応する電極である。これは、二つのＬＥＤ直管型ランプを接続してＬＥＤランプ構造体を形成した場合に、当該ＬＥＤ直管型ランプ構造体を従来の蛍光灯器具をそのまま利用して取り付けることができるようにするためである。
【手続補正９】
【補正対象書類名】明細書
【補正対象項目名】００３７
【補正方法】変更
【補正の内容】
【００３７】
発光板は、プラスティック製の筒の中に配置されていてもよい。本ＬＥＤ直管型ランプ構造体は従来型の直管型蛍光灯に代替するものであり、従来の蛍光灯器具をそのまま利用可能なものである。そこで、従来型の直管型蛍光灯から本ＬＥＤ直管型ランプ構造体に取り替えた際に部屋の雰囲気等があまり変わらないようにすることが好ましいと考えた場合には、このように発光板をプラスティック製の筒の中に配置することで蛍光灯と同様の外観とすることが望ましい。本図の例も、発光板がプラスティック製の筒の中に配置されている例を示したものである。
【手続補正１０】
【補正対象書類名】明細書
【補正対象項目名】００４５
【補正方法】変更
【補正の内容】
【００４５】
従って、ＬＥＤ直管型ランプ構造体を形成した状態では、略中央に接続部０１１２ａ、０１１２ｂが対向する形で接しており、両端に従来型の直管型蛍光灯のソケットに対応する電極０１１１ａ、０１１１ｂを備えた状態となる。
【手続補正１１】
【補正対象書類名】明細書
【補正対象項目名】００７０
【補正方法】変更
【補正の内容】
【００７０】
本実施例のランプシステムは、実施例１または２で説明したＬＥＤ直管型ランプ構造体を有するランプシステムである。即ち、従来型の直管型蛍光灯用のランプシステムをそのまま利用でき、単に従来型の直管型蛍光灯をＬＥＤ直管型ランプ構造体に取り換えるだけで使用可能なランプシステムである。
【手続補正１２】
【補正対象書類名】明細書
【補正対象項目名】００７３
【補正方法】変更
【補正の内容】
【００７３】
本実施例のランプシステムは、実施例１または２で説明したＬＥＤ直管型ランプ構造体と、従来型の直管型蛍光灯のソケットと、ランプカバーと、ランプカバーに配置された支持具とを有するランプ装置とからなる。
【手続補正１３】
【補正対象書類名】明細書
【補正対象項目名】００７６
【補正方法】変更
【補正の内容】
【００７６】
本実施例のランプシステムの外観の一例は、前出の図２に示したとおりである。同図に示すように、ランプシステム０２００は、ＬＥＤ直管型ランプ構造体０２１０と、ランプ装置とからなり、ランプ装置は、従来型の直管型蛍光灯のソケット（本図には現れない）と、ランプカバー０２３０と、ランプカバーに配置された支持具０２２０とを有する。本図の例は、発光板がプラスティック製の筒の中に配置されている例である
【手続補正１４】
【補正対象書類名】明細書
【補正対象項目名】００７７
【補正方法】変更
【補正の内容】
【００７７】
これらのうち、ＬＥＤ直管型ランプ構造体の構成は実施例１、２ですでに説明したとおりである。また、ソケットとランプカバーは、従来型の直管型蛍光灯のランプシステムのソケットとランプカバーをそのまま使用可能である。そこで、これらの説明は省略し、以下では従来型の直管型蛍光灯のランプシステムとは異なる本考案の特徴である支持具について説明する。
【手続補正１５】
【補正対象書類名】明細書
【補正対象項目名】００９５
【補正方法】変更
【補正の内容】
【００９５】
本実施例の考案により、従来型の直管型蛍光灯用のランプシステムをそのまま利用でき、単に従来型の直管型蛍光灯をＬＥＤ直管型ランプ構造体に取り換えるだけで使用可能なランプシステムの提供が可能となる。また、支持具等を金属製にすることで、放熱を好適に行うことができる。